(57)【要約】【課題】目的とするリーダと通信するができ、且つ、タグの消費電力を抑制する事ができる通信システムの提供を目的とする。【解決手段】本発明に係るＩＣタグ通信システムは、質問器は、自器を識別するための識別情報を含む質問信号を、所定周期で送信し、応答器は、特定の質問器を識別するための識別情報を記憶しており、受信した質問信号に含まれている質問器の識別情報と同一の識別情報が記憶されていると判断した場合には、受信した質問信号に対して応答信号を送信し、記憶されていないと判断した場合には、受信した質問信号に対して応答信号を送信しない。【選択図】図２
2010123034.tif 000002
【特許請求の範囲】
【請求項１】
質問器と応答器とから成り、質問器は応答器と無線通信を行う通信システムであって、
前記質問器は、
自器を識別するための識別情報を含む質問信号を、所定周期で送信する質問送信手段と、
前記応答器から、前記質問信号に対する応答信号を受信する応答受信手段とを備え、
前記応答器は、
特定の質問器を識別するための識別情報を記憶している記憶手段と、
前記質問器から、前記質問信号を受信する質問受信手段と、
前記質問受信手段で受信した質問信号に含まれている識別情報と同一の識別情報が前記記憶手段に記憶されていると判断した場合には、受信した質問信号に対して応答信号を送信し、前記記憶手段に記憶されていないと判断した場合には、受信した質問信号に対して応答信号を送信しない応答送信手段とを備える
ことを特徴とする通信システム。
【請求項２】
前記記憶手段は、複数の前記識別情報を記憶しており、
前記応答送信手段は、受信した質問信号に含まれている識別信号と前記記憶手段に記憶されている識別情報とを順次比較して、同一の識別情報があった場合に前記記憶手段に記憶されていると判断し、前記比較は、予め定められている順番に従って前記記憶手段に記憶されている識別情報と行う
ことを特徴とする請求項１に記載の通信システム。
【請求項３】
質問器と応答器とから成り、質問器は応答器と無線通信を行う通信システムで使用される応答器あって、
特定の質問器を識別する識別情報を記憶している記憶手段と、
前記質問器から、当該質問器を識別するための識別情報を含む質問信号を受信する質問受信手段と、
前記質問受信手段で受信した質問信号に含まれている識別情報と同一の識別情報が前記記憶手段に記憶されていると判断した場合には、受信した質問信号に対して応答信号を送信し、前記記憶手段に記憶されていないと判断した場合には、受信した質問信号に対して応答信号を送信しない応答送信手段とを備える
ことを特徴とする応答器。
【請求項４】
質問器と応答器とから成り、質問器は応答器と無線通信を行う通信システムで使用される応答器で用いられる信号送信方法あって、
特定の質問器を識別する識別情報を記憶しているメモリと、
前記質問器から、当該質問器を識別するための識別情報を含む質問信号を受信する質問受信ステップと、
前記質問受信ステップで受信した質問信号に含まれている識別情報と同一の識別情報が前記メモリに記憶されていると判断した場合には、受信した質問信号に対して応答信号を送信し、前記メモリに記憶されていないと判断した場合には、受信した質問信号に対して応答信号を送信しない応答送信ステップとを備える
ことを特徴とする信号送信方法。
【発明の詳細な説明】
【技術分野】
【０００１】
本発明は、ＩＣタグシステムに関し、特にＩＣタグ側の消費電力量を抑える技術に関する。
【背景技術】
【０００２】
ＩＣタグシステムは、データを含むＩＣおよびアンテナからなるタグと、タグのデータを読み書きするリーダとで構成され、通常、ユーザが携帯するタグは内蔵電池を電源として動作し、ドア付近の壁等に設置されるリーダは外部電源で動作している。
ＩＣタグシステムが用いられるケースとして、例えば、入室管理がある。具体的には、タグはリーダから繰り返し送信されている質問信号を捉えると、認証用のデータをリーダに送り返し、リーダは受け取ったデータに基づいて認証を行って入口の扉の開錠等を行う。
【０００３】
ＩＣタグシステムでは、上述した入室管理のように、管理したい場所にリーダを１つずつ設置する必要があるが、タグを携帯するユーザが移動する場合などには、リーダの近くを通る度に、タグは目的とするリーダ以外からも質問信号を受信することになる。タグは、質問信号を受信すると応答信号を送信するので、目的とするリーダ以外のリーダから受信する質問信号の数が増えると、実質的に無駄に送信する応答信号が増えて消費電力を増加させることとなる。
【０００４】
ここで、リーダが質問信号を、ある特定のタグにのみ送る技術がある。この技術では、まず、リーダがタグのタグＩＤを貰うために通信し、認証後、タグＩＤと共にデータを送信することで、特定のタグにデータを送信することを可能としている（特許文献１参照）。
この技術によれば、リーダは、目的とするタグにデータを送信する事が可能となる。
【特許文献１】特開２０００−９１９４９号公報
【発明の開示】
【発明が解決しようとする課題】
【０００５】
しかし、この技術では、リーダとタグはタグＩＤのやり取りのために必ず１回は通信を行う必要があることから、タグがリーダに対して応答信号を送信する回数が減るわけではなく、タグの消費電力を減らすことにはならない。
そこで、本発明は、目的とするリーダと通信するができ、且つ、タグの消費電力を抑制する事ができる通信システムの提供を目的とする。
【課題を解決するための手段】
【０００６】
上記課題を解決する為に、本発明の通信システムは、質問器と応答器とから成り、質問器は応答器と無線通信を行う通信システムであって、前記質問器は、自器を識別するための識別情報を含む質問信号を、所定周期で送信する質問送信手段と、前記応答器から、前記質問信号に対する応答信号を受信する応答受信手段とを備え、前記応答器は、特定の質問器を識別するための識別情報を記憶している記憶手段と、前記質問器から、前記質問信号を受信する質問受信手段と、前記質問受信手段で受信した質問信号に含まれている識別情報と同一の識別情報が前記記憶手段に記憶されていると判断した場合には、受信した質問信号に対して応答信号を送信し、前記記憶手段に記憶されていないと判断した場合には、受信した質問信号に対して応答信号を送信しない応答送信手段とを備えることを特徴とする。
【発明の効果】
【０００７】
本発明に係る通信システムは、上述の構成を備えることにより、受信した質問信号を送信した質問器を知ることができ、且つ、目的の質問器であるところの特定の質問器を記憶しているので、受信した質問信号が目的とする質問器から送信された質問信号であるかを知ることができるようになる。
従って、目的の質問器からの質問信号を受信した場合にのみ応答信号を送信することが可能となり、受信した全ての質問信号に対して応答信号を送信する場合に比べて消費電力を抑制する事ができ、且つ、目的とする質問器に応答信号を送信することができるようになる。
【０００８】
また、前記記憶手段は、複数の前記識別情報を記憶しており、前記応答送信手段は、受信した質問信号に含まれている識別信号と前記記憶手段に記憶されている識別情報とを順次比較して、同一の識別情報があった場合に前記記憶手段に記憶されていると判断し、前記比較は、予め定められている順番に従って前記記憶手段に記憶されている識別情報と行うこととしてもよい。
【０００９】
これにより、受信した質問信号に含まれている質問器の識別情報と記憶している質問器の識別情報とを順次比較して記憶されているか否かを判断する場合に、予め定められた順序で記憶されている識別情報と比較するので、受信した質問信号に含まれる頻度が高い順に順序を定めておくことによって、記憶されているか否かの判断が最初の方の比較によって出ることが多くなる。すなわち、全体として、受信した質問信号に含まれている質問器の識別情報が記憶されていることが早く判断できるようになり、応答信号を迅速に送信することが可能となる。また、記憶している質問器の識別情報と比較する回数が減ることから、消費電力の抑制を図ることにもなる。
【００１０】
本発明の応答器は、質問器と応答器とから成り、質問器は応答器と無線通信を行う通信システムで使用される応答器あって、特定の質問器を識別する識別情報を記憶している記憶手段と、前記質問器から、当該質問器を識別するための識別情報を含む質問信号を受信する質問受信手段と、前記質問受信手段で受信した質問信号に含まれている識別情報と同一の識別情報が前記記憶手段に記憶されていると判断した場合には、受信した質問信号に対して応答信号を送信し、前記記憶手段に記憶されていないと判断した場合には、受信した質問信号に対して応答信号を送信しない応答送信手段とを備えることを特徴とする。
【００１１】
本発明に係る応答器は、上述の構成を備えることにより、質問器の識別情報が含まれている質問信号を受信した場合に、目的の質問器であるところの特定の質問器を記憶しているので、受信した質問信号が目的とする質問器から送信された質問信号であるかを知ることができるようになる。
従って、目的の質問器からの質問信号を受信した場合にのみ応答信号を送信することが可能となり、受信した全ての質問信号に対して応答信号を送信する場合に比べて消費電力を抑制する事ができ、且つ、目的とする質問器に応答信号を送信することができるようになる。
【発明を実施するための最良の形態】
【００１２】
＜実施形態＞
＜概要＞
本発明は、リーダが常時繰り返し送信している質問信号に対して、タグは目的とするリーダから送信された質問信号に対してのみ応答すればよいことに着目し、タグの省エネを図ろうとするものである。
【００１３】
本実施形態の通信システムを説明する前に、図１を用いて、従来の通信システムと比較して、本発明の通信システムの使用例を簡単に説明する。
本実施形態では、リーダを質問器、タグを応答器というものとする。
尚、図１は模式図であって、質問器や信号送信範囲等は実際のサイズを正確に表していない。
【００１４】
図１は、質問器Ａ、Ｂが廊下に設置され、それぞれルームＡ、Ｂのドアの開閉を制御しているものとする。また、質問器の周りの一点鎖線は、質問器が送信する質問信号の到達範囲を示すものとする。
応答器の保持者（図では、「応答器」で示す。）が、右から左に向かって廊下を歩いてくる場合を想定する。白抜き矢印で、歩行ルートを表す。応答器ａの保持者はルームＡに、応答器ｂの保持者はルームＢにそれぞれ向かって歩いているものとし、応答器ａは質問器Ａのみが認証に成功し、応答器ｂは質問器Ｂのみが認証に成功するものとする。
【００１５】
従来の通信システムでは、まず、応答器ａの保持者が、質問器Ａの質問信号送信範囲に入ると、応答器ａは質問信号を受信し、応答信号を送信する。応答器ａからの応答信号を受信した質問器Ａは、認証に成功し、ドアＡを開錠する。
次に、応答器ｂの保持者が、質問器Ａの質問信号送信範囲に入ると、応答器ｂは質問信号を受信し、応答信号を送信する。応答器ｂからの応答信号を受信した質問器Ａは、認証に失敗し、ドアＡの開錠は行わない。
【００１６】
応答器ｂの保持者が、質問器Ｂの質問信号送信範囲に入ると、応答器ｂは質問信号を受信し、応答信号を送信する。応答器ｂからの応答信号を受信した質問器Ｂは、認証に成功し、ドアＢを開錠する。
このように、応答器ｂが目的とする質問器は、質問器Ａではなく質問器Ｂであるので、質問器Ａからの質問信号に応答した応答信号は無駄になってしまう。
【００１７】
本発明の通信システムは、応答器ｂは、目的ではない質問器Ａからの質問信号に対して応答信号は送信せず、目的とする質問器Ｂからの質問信号に対してのみ応答信号を送信するものである。すなわち、本システムでは、目的とする質問器にのみ応答信号を返すことで、消費電力を抑制する。
以下、本実施形態の通信システムを説明する。
【００１８】
本システムは、ドア付近に設置されている質問器が、ユーザが所持する応答器の認証を行い、認証ができればドアを開け、ユーザは通過できるものとする。
＜構成＞
本システムを構成する、質問器１０００及び応答器２０００について説明する。
図２は、本発明にかかる質問器１０００と応答器２０００の機能ブロック図である。本システムは、通常、複数の質問器と複数の応答器とで構成される場合が多いが、それぞれ同様の構成を有する。
【００１９】
尚、質問器１０００は、壁などに設置され電気は外部電源から供給されているものとし、応答器２０００は内蔵する電池２６００を電源とするものとする。
まず、質問器１０００は、制御部１１００、質問信号送信部１２００、応答信号受信部１３００、応答器ＩＤテーブル記憶部１４００、自質問器ＩＤ記憶部１５００、ＬＦ信号送信部１８００、ＬＦアンテナ１８１０、ＲＦ信号受信部１９００及びＲＦアンテナ１９１０で構成される。
【００２０】
制御部１１００は、図示しないＣＰＵ、メモリ等を備え、応答器２０００の認証に必要な一般的な制御処理を行う他、以下に説明する本発明に特有の処理、例えば、自器を識別するための情報を含ませた質問信号の送信を質問信号送信部１２００に依頼する等の処理を行う。
次に、質問信号送信部１２００は、質問信号を生成し、ＬＦ信号送信部１８００に送信を依頼する機能を有する。
【００２１】
ＬＦ信号送信部１８００は、質問信号送信部１２００から渡された質問信号を、誘電磁界の信号成分に重畳し、増幅して、ＬＦアンテナ１８１０から送信する機能を有する。
また、応答信号受信部１３００は、ＲＦ信号受信部１９００から応答信号を受け取ると、制御部１１００に、その旨と応答信号から取り出した情報を渡す機能を有する。
ＲＦ信号受信部１９００は、ＲＦアンテナ１９１０を介して応答信号を受信し、受信した応答信号を解析し、応答信号受信部１３００に渡す機能を有する。
【００２２】
質問信号及び応答信号の構成については、＜データ＞の項で図３を用いて説明する。
次に、応答器ＩＤテーブル記憶部１４００は、質問器１０００が認証を行うために用いる応答器ＩＤテーブルを記憶している機能を有する。すなわち、認証対象の応答器ＩＤが、このテーブルに登録されている応答器ＩＤの１つと同じ場合は認証されたものと判断し、質問器１０００は管理しているドアの開錠を行う。
【００２３】
自質問器ＩＤ記憶部１５００は、自器を識別するための自質問器ＩＤを記憶している機能を有する。
応答器ＩＤテーブル及び自質問器ＩＤの構成については、＜データ＞の項で図４を用いて説明する。
次に、応答器２０００は、制御部２１００、質問信号受信部２２００、応答信号送信部２３００、質問器ＩＤテーブル記憶部２４００、自応答器ＩＤ記憶部２５００、電池２６００、ＬＦ信号受信部２８００、ＬＦアンテナ２８１０、ＲＦ信号送信部２９００及びＲＦアンテナ２９１０で構成される。
【００２４】
制御部２１００は、図示しないＣＰＵ、メモリ、ボタン等を備え、他の機能部に指示を出して、質問信号を受信したら応答信号を返す等の処理の制御を行う。
質問信号受信部２２００は、ＬＦ信号受信部２８００から受信した質問信号を受け取り、受け取った質問信号を解析して必要な情報を制御部２１００に渡す機能を有する。
ＬＦ信号受信部２８００は、ＬＦアンテナ２８１０を介して質問信号を受信し、受信した質問信号受信部２２００に渡す機能を有する。
【００２５】
また、応答信号送信部２３００は、応答信号を送信するか否かの判断を行い、送信すると判断した場合は応答信号を生成し、ＲＦ信号送信部２９００に送信を依頼する機能を有する。応答信号を送信するか否かの判断は、質問器ＩＤテーブル記憶部２４００が記憶している質問器ＩＤテーブルを参照し、受信した質問信号を送信した質問器の質問器ＩＤが質問器ＩＤテーブルに登録されている質問器ＩＤの１つと同じ場合は、応答信号を送信すると判断する。
【００２６】
ＲＦ信号送信部２９００は、応答信号送信部２３００から渡された応答信号を、ＲＦアンテナ２９１０を介して送信する機能を有する。
次に、質問器ＩＤテーブル記憶部２４００は、質問器ＩＤテーブルを記憶している機能を有する。この質問器ＩＤテーブルは、応答器２０００が応答する質問器の質問器ＩＤが登録されているテーブルである。
【００２７】
自応答器ＩＤ記憶部２５００は、自器を識別するための自応答器ＩＤを記憶している機能を有する。
質問器ＩＤテーブル及び自応答器ＩＤの構成については、＜データ＞の項で図５を用いて説明する。
ここで、質問器１０００の制御部１１００等の各部による各処理の全部または一部は、ＣＰＵ（図示していない。）が各種プログラムを実行することにより実現されるものであり、応答器２０００の各部による各処理の全部または一部も、ＣＰＵ（図示していない。）が各種プログラムを実行することにより実現される。
【００２８】
＜データ＞
以下、本実施形態の通信システムが用いる主なデータについて、図３〜図５を用いて説明する。
図３は、質問信号と応答信号のデータ構成及び内容例を示す図である。図３（ａ）は、質問器１０００が送信する質問信号１０のデータ構成及び内容例であり、図３（ｂ）は、応答器２０００が送信する応答信号２０のデータ構成及び内容例を示す図である。
【００２９】
まず、図３（ａ）の質問信号１０は、ＰＲ（PReamble）１１、ＵＷ（Unique Word）１２、質問器ＩＤ１３及びＣＲＣ１４で構成される。
ＰＲ１１は、質問信号１０のデータの始まりを示すビット列（同期符号）であり、ＵＷ１２は、いわゆるフレーム同期信号である。また、ＣＲＣ１４は、質問信号１０を受信した応答器２０００が、受信した質問信号１０に誤りが発生しているか否かを検出するためのデータである。
【００３０】
また、質問器ＩＤ１３は、質問信号１０を送信した質問器１０００の識別子であり、自質問器ＩＤ記憶部１５００に記憶されている自質問器ＩＤが設定される。
次に、図３（ｂ）の応答信号２０は、ＰＲ２１、ＵＷ２２、質問器ＩＤ２３、応答器ＩＤ２４及びＣＲＣ２５で構成される。
ＰＲ２１は、応答信号２０のデータの始まりを示すビット列（同期符号）であり、ＵＷ２２は、いわゆるフレーム同期信号である。また、ＣＲＣ２５は、応答信号２０を受信した質問器１０００が、受信した応答信号２０に誤りが発生しているか否かを検出するためのデータである。
【００３１】
質問器ＩＤ２３は、質問器１０００の識別子を表し、この応答信号２０がどの質問器１０００から送信された質問信号１０に応じたものかを示すものである。すなわち、この応答信号２０は、質問器ＩＤ２３で示される質問器から送信された質問信号に対して送信された応答信号であることになる。
応答器ＩＤ２４は、応答信号２０を送信した応答器２０００の識別子であり、自応答器ＩＤ記憶部２５００に記憶されている自応答器ＩＤが設定される。
【００３２】
次に、図４（ａ）は、応答器ＩＤテーブル１４１０のデータ構成及び内容例であり、図４（ｂ）は、自質問器ＩＤ１５１０のデータ構成及び内容例を示す図である。これらは、質問器１０００の記憶部に記憶されているデータであり、応答器ＩＤテーブル１４１０は応答器ＩＤテーブル記憶部１４００に、自質問器ＩＤ１５１０は自質問器ＩＤ記憶部１５００にそれぞれ予め記憶されているものとする。
【００３３】
まず、図４（ａ）の応答器ＩＤテーブル１４１０は、項番１４１１と応答器ＩＤ１４１２とで構成される。
項番１４１１は、本テーブルに登録されている応答器ＩＤの順番を示す。本実施形態では、本テーブルに登録されている応答器ＩＤの数を示すものとする。尚、項番１４１１の値が小さいほど、対応する応答器ＩＤ１４１２の認証される頻度が高いものであるとする等としてもよい。
【００３４】
また、応答器ＩＤ１４１２は、応答器を識別するためのＩＤを示し、本実施形態では、１６個の応答器ＩＤが登録されている。例えば、「Tag001」などである。
図４（ｂ）の自質問器ＩＤ１５１０は、自器を識別する為の識別情報である。
次に、図５（ａ）は、質問器ＩＤテーブル２４１０のデータ構成及び内容例であり、図５（ｂ）は、自応答器ＩＤ２５１０のデータ構成及び内容例を示す図である。これらは、応答器２０００の記憶部に記憶されているデータであり、質問器ＩＤテーブル２４１０は質問器ＩＤテーブル記憶部２４００に、自応答器ＩＤ２５１０は自応答器ＩＤ記憶部２５００にそれぞれ予め記憶されているものとする。
【００３５】
まず、図５（ａ）の質問器ＩＤテーブル２４１０は、項番２４１１と質問器ＩＤ２４１２とで構成される。
項番２４１１は、本テーブルに登録されている質問器ＩＤの順番を示す。本実施形態では、項番２４１１の値が小さいほど、応答信号を返す頻度が高い質問器ＩＤ２４１２である。すなわち、応答器２０００が送信する応答信号２０の質問器ＩＤ２３に、設定される頻度が高い順である。言い換えれば、応答器２０００の保持者が頻繁に出入りする部屋などの質問器１０００のＩＤが、より小さい値の項番２４１１に対応付けられている。
【００３６】
例えば、本テーブルに設定する質問器ＩＤの順番は、応答器の保持者と質問器の設置場所によってシステム管理者等が決定する。具体的には、応答器の保持者が毎日作業を行っている部屋の質問器ＩＤを最初に設定し、たまにしか行かない研究室の質問器ＩＤを最後の方に設定するなどである。
また、質問器ＩＤ２４１２は、質問器を識別するためのＩＤを示し、本実施形態では、１６個の質問器ＩＤが登録されている。例えば、「R100」などである。
【００３７】
図５（ｂ）の自応答器ＩＤ２５１０は、自器を識別する為の識別情報である。
＜動作＞
以下、上述した通信システムの、質問器１０００と応答器２０００の動作について説明する。
図６は、質問器１０００の質問信号送信処理と、応答器２０００の応答処理とを示すフローチャートである。本図では、点線は質問信号等の信号の送信を表すものとする。
【００３８】
質問器１０００の制御部１１００は、起動の指示、例えば、図示しない操作スイッチの押下等を検知すると、質問信号送信部１２００に、質問信号を送信するよう依頼する。
依頼を受けた質問信号送信部１２００は、質問器ＩＤ１３として自質問器ＩＤ記憶部１５００に記憶している自質問器ＩＤ１５１０を設定した質問信号１０を生成し、生成した質問信号１０（図３（ａ）参照）をＬＦ信号送信部１８００に渡して送信を依頼する。質問信号送信部１２００は、生成した質問信号１０を内部の作業メモリに記憶し、次回の依頼からは記憶している質問信号１０をＬＦ信号送受信部１８００に渡すものとする。
【００３９】
依頼を受けたＬＦ信号送受信部１８００は、受け取った質問信号１０をＬＦアンテナ１８１０を介して送信する（ステップＳ１０）。
質問信号送信部１２００に、質問信号１０を送信するよう依頼した制御部１１００は、依頼してから所定周期、例えば、３００ｍｓの間に応答信号受信部１３００から応答信号２０（図３（ｂ）参照）を受け取らなかった場合は（ステップＳ１１：ＮＯ）、質問信号送信部１２００に、質問信号を送信するよう依頼する（ステップＳ１０）。
【００４０】
質問信号を送信するよう質問信号送信部１２００に依頼した制御部１１００は、依頼してから所定周期の間に応答信号受信部１３００から応答信号を受け取った場合は（ステップＳ１１：ＹＥＳ）、受信した応答信号２０から、応答器ＩＤ２４を取り出す（ステップＳ１２）。
尚、応答信号受信部１３００は、ＲＦアンテナ１９１０を介して応答信号２０を受信したＲＦ信号受信部１９００から、受信した応答信号２０を渡され、渡された応答信号２０を制御部１１００に渡す。
【００４１】
制御部１１００は、取り出した応答器ＩＤ２４と同じＩＤが、応答器ＩＤテーブル記憶部１４００に記憶されている応答器ＩＤテーブル１４１０の応答器ＩＤ１４１２に登録されているかを検索する。
応答器ＩＤ２４と同じＩＤが、応答器ＩＤ１４１２に登録されている場合は（ステップＳ１３：ＹＥＳ）、質問器１０００が管理しているドアを開錠する（ステップＳ１４）。一方、取り出した応答器ＩＤ２４と同じＩＤが、応答器ＩＤテーブル１４１０の応答器ＩＤ１４１２に登録されていない場合は（ステップＳ１３：ＮＯ）、何も行わない。
【００４２】
制御部１１００は、質問信号送信部１２００に質問信号の送信を依頼し、繰り返し通信処理（ステップＳ１０〜ステップＳ１４）を行う。
次に、応答器２０００の処理について説明する。
応答器２０００のＬＦ信号受信部２８００は、ＬＦアンテナ２８１０を介して質問器１０００が送信した質問信号１０を受信し、受信した質問信号１０を質問信号受信部２２００に渡す（ステップＳ２０）。
【００４３】
質問信号受信部２２００は、受け取った質問信号１０の質問器ＩＤ１３を取り出して制御部２１００に渡す（ステップＳ２１）。
質問器ＩＤ１３を受け取った制御部２１００は、応答信号送信部２３００に応答信号の送信を依頼する。この依頼の際、質問信号受信部２２００から受け取った質問器ＩＤ１３を渡す。
【００４４】
依頼を受けた応答信号送信部２３００は、まず、受け取った質問器ＩＤ１３と同じＩＤが、質問器ＩＤテーブル記憶部２４００に記憶されている質問器ＩＤテーブル２４１０の質問器ＩＤ２４１２に登録されているか否かを検索する。
具体的には、質問器ＩＤテーブル２４１０の項番２４１１「１」から順に対応する質問器ＩＤ２４１２と、受け取った質問器ＩＤ１３とを比較する。
【００４５】
同一でなければ、次の項番２４１１の質問器ＩＤ２４１２と比較し（ステップＳ２３：ＮＯ）、同一であれば（ステップＳ２３：ＹＥＳ）、応答信号２０を生成し、生成した応答信号２０をＲＦ信号送信部２９００に渡して、送信を依頼する。
応答信号送信部２３００は、受け取った質問器ＩＤ１３を、応答信号２０の質問器ＩＤ２３として設定し、自応答器ＩＤ記憶部２５００に記憶されている自応答器ＩＤ２５１０を制御部２１００を介して取得し、応答器ＩＤ２４として設定して応答信号２０を生成する。
【００４６】
依頼を受けたＲＦ信号送信部２９００は、受け取った応答信号２０をＲＦアンテナ２９１０を介して送信する（ステップＳ２４）。
一方、質問器ＩＤテーブル２４１０の項番２４１１「１」から最後の項番２４１１「１６」に対応する質問器ＩＤ２４１２まで比較しても、受け取った質問器ＩＤ１３と同じものが無かった場合は（ステップＳ２２：ＹＥＳ）、応答信号送信部２３００は応答信号の送信を行わずに、処理を終了する。
【００４７】
例えば、図５の質問器ＩＤテーブル２４１０において、受け取った質問器ＩＤ１３が「R100」であるとすると、まず、質問器ＩＤテーブル２４１０の項番２４１１「１」に対応する質問器ＩＤ２４１２「R001」と、受け取った質問器ＩＤ１３「R100」とを比較し、異なるため、次に、項番２４１１「２」の質問器ＩＤ２４１２「R100」と比較する。この場合、同じであるので項番２４１１「３」以降は比較せずに、応答信号を送信する。
【００４８】
＜補足＞
以上、本発明に係る通信システムについて実施形態に基づいて説明したが、このシステムを部分的に変形することもでき、本発明は上述の実施形態に限られないことは勿論である。即ち、
（１）本実施形態では、質問器ＩＤテーブル２４１０の内容は、予め定められているものとしているが、適時、書き換えられるものとしてもよい。
【００４９】
例えば、応答器２０００の保持者の部署が変わる等により、頻繁に出入りする部屋が変わることで応答する質問器が変わる場合である。
変更の方法としては、例えば、データをＬＦ信号によって送信する機能を備える書換装置に応答器をセットすることによって書き換える。具体的には、書換装置からＬＦ信号によって、書換コマンドと書き換え用データを送信する。応答器２０００のＬＦ信号受信部２８００は、書換装置からの信号を受信すると発電し、この電力で制御部２１００等を起動させ、起動した制御部２１００は、受信した書き換え用データで、質問器ＩＤテーブル２４１０の内容を書き換える。
【００５０】
また、応答器２０００にＵＳＢポートを備え、パソコン等からデータを送信して書き換える等としてもよい。
また、更には、本通信システムの運用中に、質問器ＩＤテーブル２４１０の質問器ＩＤ２４１２の順番を、通信の頻度が高い順に書き換えることとしても良い。例えば、外部の管理サーバなどで、応答器ＩＤ毎に通信した質問器ＩＤとその回数を1ヶ月間記憶しておき、次の月の初めに、書換装置などで回数が多い順に質問器ＩＤを並べ替えるなどである。
【００５１】
また、応答器側で、通信した質問器ＩＤとその回数を記憶しておき、適時、並べ替えることとしても良い。
本実施形態では、複数の質問器ＩＤを登録した質問器ＩＤテーブル２４１０を記憶することとしているが、1つの質問器ＩＤを記憶することとしても良い。
（２）実施形態では、質問器は、受信した応答信号が自器が送信した質問信号に対して送信されたものか否かにかかわらず、認証処理をしているが、自器が送信した質問信号に対する応答信号の場合のみ認証処理をすることとしても良い。
【００５２】
具体的には、応答信号受信部１３００から応答信号を受け取った制御部１１００は、受信した応答信号２０から、質問器ＩＤ２３を取り出し、取り出した質問器ＩＤ２３が自質問器ＩＤ記憶部１５００に記憶している自質問器ＩＤ１５１０と同じか否かを判断し、異なる場合は受信した応答信号を破棄し、応答信号を受信しなかった場合と同じ処理を行う（図６のステップＳ１１参照）。
（３）実施形態では、応答器の認証を質問器で行うこととしているが、これに限られない。例えば、質問器が受信した応答信号内の応答器ＩＤを、外部の認証用サーバ等に送信し、認証サーバにおいて認証を行って結果を送り返してもらうこと等としても良い。
（４）通信システムに含まれる質問器、応答器においては、図２等の各構成要素の全部又は一部を、１チップ又は複数チップの集積回路で実現してもよい。
（５）実施形態で示した通信システムの各機能を実現させる為の各制御処理（図６参照）をＣＰＵに実行させる為のプログラムを、記録媒体に記録し又は各種通信路等を介して、流通させ頒布することもできる。このような記録媒体には、ＩＣカード、光ディスク、フレキシブルディスク、ＲＯＭ、フラッシュメモリ等がある。流通、頒布されたプログラムは、機器におけるＣＰＵで読み取り可能なメモリ等に格納されることにより利用に供され、そのＣＰＵがそのプログラムを実行することにより実施形態で示した各機能が実現される。
【図面の簡単な説明】
【００５３】
【図１】本通信システムの使用例を示す図である。
【図２】本発明にかかる質問器１０００と応答器２０００の機能ブロック図である。
【図３】図３（ａ）は、質問器１０００が送信する質問信号１０のデータ構成及び内容例であり、図３（ｂ）は、応答器２０００が送信する応答信号２０のデータ構成及び内容例である。
【図４】図４（ａ）は、応答器ＩＤテーブル１４１０のデータ構成及び内容例であり、図４（ｂ）は、自質問器ＩＤ１５１０のデータ構成及び内容例である。
【図５】図５（ａ）は、質問器ＩＤテーブル２４１０のデータ構成及び内容例であり、図５（ｂ）は、自応答器ＩＤ２５１０のデータ構成及び内容例である。
【図６】質問器１０００の質問信号送信処理と応答器２０００の応答処理とを示すフローチャートである。
【符号の説明】
【００５４】
１０        質問信号
２０        応答信号
１０００    質問器
１１００  ２１００  制御部
１２００    質問信号送信部
１３００    応答信号受信部
１４００    応答器ＩＤテーブル記憶部
１５００    自質問器ＩＤ記憶部
１８００  ＬＦ信号送信部
１８１０  ２８１０    ＬＦアンテナ
１９００    ＲＦ信号受信部
１９１０  ２９１０    ＲＦアンテナ
２０００    応答器
２２００    質問信号受信部
２３００    応答信号送信部
２４００    質問器ＩＤテーブル記憶部
２５００    自応答器ＩＤ記憶部
２８００    ＬＦ信号受信部
２９００    ＲＦ信号送信部
【図１】
2010123034.tif 000003
【図２】
2010123034.tif 000004
【図３】
2010123034.tif 000005
【図４】
2010123034.tif 000006
【図５】
2010123034.tif 000007
【図６】
2010123034.tif 000008